(57)【要約】【課題】在宅医療患者の使用している医療機器の電源の状況を的確に把握し、緊急時に在宅医療患者のもとへ迅速に予備の蓄電池を配送することができる緊急時蓄電池配送システムを提供すること。【解決手段】本発明の緊急時蓄電池配送システムは、ネットワークに接続される管理装置と、ネットワークに接続され、在宅医療患者の所在地情報、前記在宅医療患者が使用している医療機器の情報、前記医療機器に接続された予備蓄電池の情報、配送用蓄電池の情報を少なくとも格納するデータベースと、ネットワークに接続され、医療機器の情報および予備蓄電池の情報を取得してデータベースに送信する情報収集装置と、ネットワークに接続される端末装置と、を備える。このシステムにおいて、管理装置は、緊急時にデータベースに格納された稼働可能時間に基づいて、ネットワークを介して端末装置へ配送用蓄電池の配送に必要な情報を送信する。【選択図】図１
2016157377.tif 000002
【特許請求の範囲】
【請求項１】
ネットワークに接続される管理装置と、
前記ネットワークに接続され、在宅医療患者の所在地情報、前記在宅医療患者が使用している医療機器の情報、前記医療機器に接続された予備蓄電池の情報、配送用蓄電池の情報を少なくとも格納するデータベースと、
前記ネットワークに接続され、前記医療機器の情報および前記予備蓄電池の情報を取得して前記データベースに送信する情報収集装置と、
前記ネットワークに接続される端末装置と、
を備え、
前記情報収集装置は、予め定められたタイミングで前記医療機器の稼働状況および前記予備蓄電池の蓄電容量を取得して前記データベースに送信し、
前記データベースは、前記情報収集装置から送信される前記医療機器の稼働状況および前記予備蓄電池の蓄電容量を前記在宅医療患者ごとに逐次更新して格納し、さらに、前記予備蓄電池による前記医療機器の稼働可能時間を前記在宅医療患者ごとに格納し、
前記管理装置は、緊急時に前記データベースに格納された前記稼働可能時間に基づいて、前記ネットワークを介して前記端末装置へ前記配送用蓄電池の配送に必要な情報を送信することを特徴とする緊急時蓄電池配送システム。
【請求項２】
前記データベースは、複数の前記在宅医療患者の情報を格納し、
前記管理装置は、前記データベースに格納された前記複数の在宅医療患者のそれぞれに対応した前記稼働可能時間に応じて前記配送用蓄電池の配送の順番を求める、請求項１記載の緊急時蓄電池配送システム。
【請求項３】
前記データベースは、前記端末装置の場所の情報をさらに格納し、
前記配送用蓄電池の情報は、前記配送用蓄電池の蓄電容量および配置場所の情報を含み、
前記管理装置は、
前記端末装置の場所の情報、前記配送用蓄電池の配置場所の情報、および前記在宅医療患者の所在地の情報から前記端末装置の位置から前記配送用蓄電池の配置場所を経由して前記在宅医療患者の所在地までの配送予想時間を演算し、
前記配送予想時間および前記稼働可能時間から前記端末装置の現在の場所から前記配送用蓄電池の配置場所を経由して前記在宅医療患者の所在地までの経路の情報を前記ネットワークを介して前記端末装置へ送信する、請求項１または２に記載の緊急時蓄電池配送システム。
【請求項４】
前記管理装置は、前記複数の在宅医療患者のそれぞれに対応した前記稼働可能時間から前記配送用蓄電池の配送にかかる予想時間を差し引いた残余の時間から得られる余裕度に応じて前記配送用蓄電池の配送の順番を求める、請求項３記載の緊急時蓄電池配送システム。
【請求項５】
前記データベースは、前記在宅医療患者の緊急連絡先を格納し、
前記管理装置は、前記配送用蓄電池の配送に必要な情報を前記端末装置へ送信した際、配送の対象となった前記在宅医療患者の前記緊急連絡先へ連絡を送信する、請求項１〜４のいずれか１つに記載の緊急時蓄電池配送システム。
【請求項６】
複数の前記管理装置と、複数の前記データベースと、複数の前記端末装置と、を備え、
前記複数の管理装置のうちの第１管理装置、前記複数のデータベースのうちの第１データベース、および前記複数の端末装置のうちの第１端末装置は第１領域を管轄し、
前記複数の管理装置のうちの第２管理装置、前記複数のデータベースのうちの第２データベース、および前記複数の端末装置のうちの第２端末装置は第２領域を管轄し、
平常時、前記第１データベースは前記第１領域内の前記在宅医療患者における前記医療機器の稼働状況、前記予備蓄電池の蓄電容量、前記稼働可能時間を前記第１領域内の前記在宅医療患者ごとに格納し、前記第２データベースは前記第２領域内の前記在宅医療患者における前記医療機器の稼働状況、前記予備蓄電池の蓄電容量、前記稼働可能時間を前記第２領域内の前記在宅医療患者ごとに格納し、
緊急時、前記第１管理装置は、前記第１データベースおよび前記第２データベースにそれぞれ格納された前記稼働可能時間に基づいて、前記ネットワークを介して前記第１端末装置および前記第２端末装置の少なくとも一方へ前記配送用蓄電池の配送に必要な情報を送信する、請求項１〜５のいずれか１つに記載の緊急時蓄電池配送システム。
【請求項７】
前記管理装置は、前記医療機器の稼働状況および前記予備蓄電池の蓄電容量から前記予備蓄電池による前記医療機器の稼働可能時間を演算して前記データベースに送信する、請求項１〜６のいずれか１つに記載の緊急時蓄電池配送システム。
【請求項８】
前記情報収集装置は、前記医療機器の稼働状況および前記予備蓄電池の蓄電容量から前記予備蓄電池による前記医療機器の稼働可能時間を演算して前記データベースに送信する、請求項１〜６のいずれか１つに記載の緊急時蓄電池配送システム。
【発明の詳細な説明】
【技術分野】
【０００１】
本発明は、緊急時に在宅医療患者に蓄電池を配送する緊急時蓄電池配送システムに関し、特に災害時に系統電源などの主電源が停止した際に在宅医療患者のもとへ、いち早く予備の蓄電池を配送することができる緊急時蓄電池配送システムに関する。
【背景技術】
【０００２】
自宅で療養を行う在宅医療患者の多くは、人工呼吸器、酸素濃縮器、透析装置、吸引器、電動エアマットなど、電源に依存する機器を使用している。これらの機器は、通常は系統電源を使用して動作し、停電など系統電源から電力が供給されない場合にはバックアップ用の蓄電池を用いて動作を継続している。
【０００３】
在宅医療患者に対する災害時の対応として、特許文献１には、通信手段を通して在宅療法患者の使用する医療機器に接続されるモニターセンターと、在宅療法患者の個人情報を格納するデータベースを有する在宅療法患者救援システムが開示される。このシステムでは、災害発生時に、データベースを検索し、重症患者順にリストして、順次に関連機関より救済処理を行うようにしている。
【０００４】
また、特許文献２には、医療機器利用者の所在地、医療機器の利用情報を格納する利用者データベースと、このデータベースを検索する端末装置を設けた在宅医療支援システムが開示される。このシステムでは、災害予想または災害時に災害対象区域の在宅医療機器の利用者を自動検索して、被災予想または被災区域の在宅医療機器利用者を迅速に支援するようにしている。
【０００５】
また、特許文献３には、在宅患者の近傍に配置されてこの患者の治療に用いられる在宅医療機器の、運転状況の把握、異常発生又は異常発生予測の知得、治療実行の確認の内の少なくともいずれかの情報を、医療機器情報端末が遠隔の監視情報端末へ送信してこの在宅医療機器を用いた治療の遠隔監視を行う工程を有する在宅医療機器管理方法が開示される。
【先行技術文献】
【特許文献】
【０００６】
【特許文献１】特開２００３−１２２８５５号公報
【特許文献２】特開２００２−３２０６７５号公報
【特許文献３】特開２００８−１１３８６１号公報
【発明の概要】
【発明が解決しようとする課題】
【０００７】
しかしながら、災害等が発生して地域に甚大な影響が及ぶと、自治体からの支援が届くまで時間がかかり、それまでの間に予備蓄電池を使い果たしてしまう可能性がある。従来のいずれのシステムにおいても、在宅医療患者が実際に使用する機器の動作状況や予備蓄電池の情報などを正確に把握し、緊急時に医療機器の状態や支援者の状況に合わせて的確に予備の蓄電池を在宅医療患者のもとへ配送することについては考慮されていない。
【０００８】
本発明は、在宅医療患者の使用している医療機器の電源の状況を的確に把握し、緊急時に在宅医療患者のもとへ迅速に予備の蓄電池を配送することができる緊急時蓄電池配送システムを提供することを目的とする。
【課題を解決するための手段】
【０００９】
上記課題を解決するため、本発明の緊急時蓄電池配送システムは、ネットワークに接続される管理装置と、ネットワークに接続され、在宅医療患者の所在地情報、前記在宅医療患者が使用している医療機器の情報、前記医療機器に接続された予備蓄電池の情報、配送用蓄電池の情報を少なくとも格納するデータベースと、ネットワークに接続され、医療機器の情報および予備蓄電池の情報を取得してデータベースに送信する情報収集装置と、ネットワークに接続される端末装置と、を備える。
【００１０】
このシステムにおいて、情報収集装置は、予め定められたタイミングで医療機器の稼働状況および予備蓄電池の蓄電容量を取得して前記データベースに送信する。データベースは、情報収集装置から送信される医療機器の稼働状況および予備蓄電池の蓄電容量を在宅医療患者ごとに逐次更新して格納し、さらに、予備蓄電池による医療機器の稼働可能時間を在宅医療患者ごとに格納する。管理装置は、緊急時にデータベースに格納された稼働可能時間に基づいて、ネットワークを介して端末装置へ配送用蓄電池の配送に必要な情報を送信する。
【００１１】
このような構成によれば、データベースには在宅医療患者ごとに患者が使用している医療機器の稼働状況、予備蓄電池の蓄電容量が逐次更新して格納されるため、常に最新の情報をデータベースに集約することができる。また、緊急時には、このデータベースに格納された稼働可能時間に基づいてネットワークを介して端末装置へ配送用蓄電池の配送に必要な情報を送信するため、端末装置に送られた情報によって在宅医療患者のもとへ配送用蓄電池を効率良く配送することができる。
【００１２】
本発明の緊急時蓄電池配送システムにおいて、データベースは、複数の在宅医療患者の情報を格納し、管理装置は、データベースに格納された複数の在宅医療患者のそれぞれに対応した稼働可能時間に応じて配送用蓄電池の配送の順番を求めるようにしてもよい。このような構成によれば、予備蓄電池による医療機器の稼働可能時間に応じて効率良く配送用蓄電池を配送することができる。
【００１３】
本発明の緊急時蓄電池配送システムにおいて、データベースは、端末装置の場所の情報をさらに格納し、配送用蓄電池の情報は、配送用蓄電池の蓄電容量および配置場所の情報を含み、管理装置は、端末装置の場所の情報、配送用蓄電池の配置場所の情報、および在宅医療患者の所在地の情報から端末装置の位置から配送用蓄電池の配置場所を経由して在宅医療患者の所在地までの配送予想時間を演算し、配送予想時間および稼働可能時間から端末装置の現在の場所から配送用蓄電池の配置場所を経由して在宅医療患者の所在地までの経路の情報をネットワークを介して端末装置へ送信するようにしてもよい。
【００１４】
このような構成によれば、緊急時、データベースに格納された端末装置の場所の情報、配送用蓄電池の蓄電容量および配置場所の情報、在宅医療患者の所在地、在宅医療患者ごとの医療機器の稼働可能時間に基づき、端末装置へ最適な経路を伝えることができる。端末装置を所持する配送者は、端末装置に送られた情報に従って配送用蓄電池の配置場所に向かい、配送用蓄電池を受け取った後、指定された在宅医療患者のもとへ配送用蓄電池を届ける。データベースには、最新の情報が格納されているため、在宅医療患者の実態に即して効率良く配送用蓄電池を届けることが可能になる。
【００１５】
本発明の緊急時蓄電池配送システムにおいて、管理装置は、複数の在宅医療患者のそれぞれに対応した稼働可能時間から配送用蓄電池の配送にかかる予想時間を差し引いた残余の時間から得られる余裕度に応じて配送用蓄電池の配送の順番を求めるようにしてもよい。このような構成によれば、予備蓄電池による稼働の余裕度によって配送用蓄電池の配送順を求めることができる。すなわち、余裕度の低い在宅医療患者へいち早く配送用蓄電池を届けることができる。
【００１６】
本発明の緊急時蓄電池配送システムにおいて、データベースは、在宅医療患者の緊急連絡先を格納し、管理装置は、配送用蓄電池の配送に必要な情報を端末装置へ送信した際、配送の対象となった在宅医療患者の緊急連絡先へ連絡を送信するようにしてもよい。このような構成によれば、在宅医療患者に配送用蓄電池が配送されたことを知らせることができ、在宅医療患者に安心感を与えることができる。
【００１７】
本発明の緊急時蓄電池配送システムにおいて、複数の管理装置と、複数のデータベースと、複数の端末装置と、を備えていてもよい。この場合、複数の管理装置のうちの第１管理装置、複数のデータベースのうちの第１データベース、および複数の端末装置のうちの第１端末装置は第１領域を管轄し、複数の管理装置のうちの第２管理装置、複数のデータベースのうちの第２データベース、および複数の端末装置のうちの第２端末装置は第２領域を管轄する。
【００１８】
このシステムにおいて、平常時には、第１データベースは第１領域内の在宅医療患者における医療機器の稼働状況、予備蓄電池の蓄電容量、稼働可能時間を第１領域内の在宅医療患者ごとに格納する。また、第２データベースは第２領域内の在宅医療患者における医療機器の稼働状況、予備蓄電池の蓄電容量、稼働可能時間を第２領域内の在宅医療患者ごとに格納する。
【００１９】
そして、緊急時には、第１管理装置は、第１データベースおよび第２データベースにそれぞれ格納された稼働可能時間に基づいて、ネットワークを介して第１端末装置および第２端末装置の少なくとも一方へ配送用蓄電池の配送に必要な情報を送信する。
【００２０】
このような構成によれば、平常時には第１領域内の情報を収集して第１データベースに格納し、第２領域内の情報を収集して第２データベースに格納しておく。緊急時には、第１データベースおよび第２データベースの情報を用いて第１端末装置および第２端末装置の少なくとも一方に情報を送信するため、管轄の枠を超えて配送用蓄電池を迅速に在宅医療患者のもとへ配送することができる。
【００２１】
本発明の緊急時蓄電池配送システムにおいて、管理装置は、医療機器の稼働状況および予備蓄電池の蓄電容量から予備蓄電池による医療機器の稼働可能時間を演算してデータベースに送信するようにしてもよい。このような構成によれば、管理装置によって最新の稼働可能時間を演算してデータベースに格納しておくことができる。
【００２２】
本発明の緊急時蓄電池配送システムにおいて、情報収集装置は、医療機器の稼働状況および予備蓄電池の蓄電容量から予備蓄電池による医療機器の稼働可能時間を演算してデータベースに送信するようにしてもよい。このような構成によれば、情報収集装置によって最新の稼働可能時間を演算してデータベースに格納しておくことができる。稼働可能時間を情報収集装置によって演算することで、管理装置に負荷をかけることなく最新の稼働可能時間をデータベースに集約しておくことができる。
【図面の簡単な説明】
【００２３】
【図１】第１実施形態に係る緊急時蓄電池配送システムの構成を例示する模式図である。
【図２】（ａ）〜（ｃ）は、データベースの一例を示す図である。
【図３】システムの動作を例示するフローチャートである。
【図４】システムの動作を例示するフローチャートである。
【図５】（ａ）および（ｂ）は、リストの例を示す図である。
【図６】（ａ）および（ｂ）は、リストの例を示す図である。
【図７】端末装置の情報の表示例を示す図である。
【図８】端末装置の情報の表示例を示す図である。
【図９】第２実施形態に係る緊急時蓄電池配送システムの構成を例示する模式図である。
【発明を実施するための形態】
【００２４】
以下、本発明の実施形態を図面に基づいて説明する。なお、以下の説明では、同一の部材には同一の符号を付し、一度説明した部材については適宜その説明を省略する。
【００２５】
（第１実施形態）
図１は、第１実施形態に係る緊急時蓄電池配送システムの構成を例示する模式図である。
図１に表したように、本実施形態に係る蓄電池配送システムは、緊急時に在宅医療患者ＰＡのもとへ、いち早く配送用蓄電池ＢＴを届けるためのシステムである。
【００２６】
ここで、緊急とは、在宅医療患者ＰＡが使用する医療機器ＭＥの主電源（例えば、系統電力９１）が停止する状態または停止する可能性のある状態のことをいう。医療機器ＭＥの多くは、災害（天災、人災）などによって医療機器ＭＥに電力を供給する系統電力９１が停止した場合、バックアップ用の電源（予備蓄電池ＳＢ）を備えている。本実施形態に係る緊急時蓄電池配送システム（以下、単に「システム」とも言う。）では、予備蓄電池ＳＢによる稼働可能時間内に在宅医療患者ＰＡのもとへ更なる予備の蓄電池である配送用蓄電池ＢＴを迅速に届けるために用いられる。
【００２７】
特に、災害発生時に自治体、消防、レスキューなどの大がかりな救援が到着するまでの間、予備蓄電池ＳＢだけでは電力不足になる可能性がある。本実施形態に係るシステムでは、このような状況を考慮し、救援到着までの間、電力を維持するための蓄電池（配送用蓄電池ＢＴ）を在宅医療患者ＰＡのもとへ効率良く届ける支援ツールとして用いられる。
【００２８】
本実施形態に係るシステムは、管理装置１０と、データベース２０と、情報収集装置３０と、端末装置４０と、を備える。管理装置１０はネットワークＮに接続され、ネットワークＮを介して各種の情報の収集や利用（検索など）を管理する。管理装置１０は、例えば管理センターＭＣ内に設置される。管理装置１０はコンピュータを備え、管理ソフトウェアによって情報の管理を行う。ネットワークＮはインターネットのほか、専用の通信回線やローカルなネットワークであってもよい。また、ネットワークＮは無線、有線を問わない。
【００２９】
データベース２０はネットワークＮに接続される。データベース２０は、在宅医療患者ＰＡの所在地情報、在宅医療患者ＰＡが使用している医療機器ＭＥの情報、医療機器ＭＥに接続された予備蓄電池ＳＢの情報、配送用蓄電池ＢＴの情報を少なくとも格納する。
【００３０】
データベース２０は、情報収集装置３０から送信される医療機器ＭＥの種類、医療機器ＭＥの稼働状況および予備蓄電池ＳＢの蓄電容量を在宅医療患者ＰＡごとに逐次更新して格納する。医療機器ＭＥとしては、人工呼吸器、酸素濃縮器、透析装置、吸引器、電動エアマット、電動ベッドなど、電源に依存する機器が含まれる。
【００３１】
さらに、データベース２０は、予備蓄電池ＳＢによる医療機器ＭＥの稼働可能時間を在宅医療患者ＰＡごとに格納する。これにより、データベース２０には、在宅医療患者ＰＡごとの医療機器ＭＥの稼働状況や予備蓄電池ＳＢによる稼働可能時間などの最新情報が格納されることになる。
【００３２】
情報収集装置３０はネットワークＮに接続される。情報収集装置３０は、医療機器ＭＥの情報および予備蓄電池ＳＢの情報を取得してデータベース２０に送信する。情報収集装置３０は、予め定められたタイミングで医療機器ＭＥの稼働状況や予備蓄電池ＳＢの蓄電容量を取得し、ネットワークＮを介してデータベース２０へ送信する機能を有する。
【００３３】
情報収集装置３０は、医療機器ＭＥに組み込まれていても、外部に接続されていてもよい。例えば、情報収集装置３０は、医療機器ＭＥの電源を入れたときや、稼働中の一定期間ごとに医療機器ＭＥの消費電力や予備蓄電池ＳＢの現在の蓄電容量などの情報を収集して送信する。
【００３４】
また、情報収集装置３０は、医療機器ＭＥに予備蓄電池ＳＢを新たに追加した場合もその情報を収集して送信する。情報収集装置３０は予備蓄電池ＳＢに設けられていてもよい。また、情報収集装置３０は電源を供給するためのソケットに設けられていてもよい。この場合、医療機器ＭＥや予備蓄電池ＳＢをこのソケットに接続することで、ソケットに設けられた情報収集装置３０がソケット経由で情報を収集し、ネットワークＮを介してデータベース２０へ送信する。
【００３５】
端末装置４０は、ネットワークＮに接続される。端末装置４０は携帯電話、タブレット型端末、ノート型コンピュータなど可搬性に優れた端末である。配送用蓄電池ＢＴを配送するスタッフＳＦは端末装置４０を所持している。例えば、地域のボランティアがスタッフＳＦとなる。
【００３６】
ここで、配送用蓄電池ＢＴはサービスステーションＳＳで管理されている。サービスステーションＳＳは、例えば防災備蓄所、防災避難場所、自立発電施設、公民館、役所、病院、ショッピングセンターなどに設けられる。配送用蓄電池ＢＴは常に満充電状態になっていることが望ましい。サービスステーションＳＳでは、系統電力９１や自然エネルギー発電による自立発電電力９２によって配送用蓄電池ＢＴに充電を行う。特に、気象条件に対する依存性の低い自然エネルギー（水流（水の位置エネルギー）、地熱エネルギー、バイオマスエネルギーなど）を利用した自立発電電力９２は、災害時に系統電力９１が停止しても安定して電力を供給することができるため有効である。
【００３７】
サービスステーションＳＳはネットワークＮに接続されていてもよい。ネットワークＮに接続されることで、配送用蓄電池ＢＴの蓄電状況、在庫状況などの最新情報をデータベース２０に送ることができる。
【００３８】
本実施形態に係るシステムにおいて、管理装置１０は、緊急時にデータベース２０に格納された医療機器ＭＥの予備蓄電池ＳＢによる稼働可能時間に基づいて、ネットワークＮを介して端末装置４０へ配送用蓄電池ＢＴの配送に必要な情報を送信する。これにより、緊急時に、スタッフＳＦは端末装置４０で受信した配送用蓄電池ＢＴの配送に必要な情報を参照して、在宅医療患者ＰＡのもとへ配送用蓄電池ＢＴを効率良く配送することができる。
【００３９】
（データベースの例）
図２（ａ）〜（ｃ）は、データベースの一例を示す図である。
図２（ａ）にはデータベース２０に格納される第１データテーブルＤＴ１が例示される。第１データテーブルＤＴ１には、在宅医療患者ＰＡの患者名ごとに、所在地、連絡先、使用している医療機器ＭＥ、医療機器ＭＥの使用電力、予備蓄電池ＳＢの蓄電容量などが格納される。これらのほかに、予備蓄電池ＳＢの充電状況（満充電、充電中、残り容量など）を格納してもよい。医療機器ＭＥ、使用電力および予備蓄電池ＳＢに関する情報は、情報収集装置３０から所定のタイミングで送信される。したがって、最新の情報がデータベース２０に格納されることになる。
【００４０】
図２（ｂ）にはデータベース２０に格納される第２データテーブルＤＴ２が例示される。第２データテーブルＤＴ２には、配送を行うスタッフＳＦの名前ごとに、端末ＩＤ、端末現在地などが格納される。また、スタッフＳＦごとの機動力が格納されていてもよい。端末ＩＤは、例えば端末装置４０の電話番号である。端末現在地は、例えば端末装置４０に内蔵されたＧＰＳ（Global Positioning System）で取得した緯度および経度の情報である。端末現在地は所定のタイミングで端末装置４０からネットワークＮにプッシュ通知してデータベース２０に送られる。したがって、スタッフＳＦがどこにいても、災害時には的確に情報を送信することができる。機動力は、スタッフＳＦの移動の速さの指標である。移動時間を計算する際に考慮される。
【００４１】
図２（ｃ）にはデータベース２０に格納される第３データテーブルＤＴ３が例示される。第３データテーブルＤＴ３には、配送用蓄電池ＢＴごとに、備蓄場所住所、備蓄場所名称、蓄電容量などが格納される。これらのほかに、配送用蓄電池ＢＴの充電状況（満充電、充電中、残り容量など）を格納してもよい。
【００４２】
（システムの動作）
次に、本実施形態に係るシステムの動作について説明する。
図３および図４は、本実施形態に係るシステムの動作を例示するフローチャートである。
図３には平常時の動作のフローチャートが表され、図４には緊急時の動作のフローチャートが表される。
【００４３】
先ず、図３のステップＳ１０１に示すように、緊急時か否かの判断を行う。例えば、緊急地震速報などの災害情報や系統電力の停電の情報が入った場合には緊急時であると判断する。このような情報が入っていない場合には緊急時ではないと判断する。
【００４４】
緊急時ではない場合、ステップＳ１０２に示すように、医療機器ＭＥおよび予備蓄電池ＳＢの情報を収集する。医療機器ＭＥおよび予備蓄電池ＳＢの情報は情報収集装置３０によって所定のタイミングで収集され、ネットワークＮを介してデータベース２０に送信される。
【００４５】
次に、ステップＳ１０３に示すように、配送用蓄電池ＢＴの情報を収集する。サービスステーションＳＳがネットワークＮに接続されている場合には、配送用蓄電池ＢＴの情報はネットワークＮを介してデータベース２０に送信される。
【００４６】
次に、ステップＳ１０４に示すように、端末装置４０の情報を収集する。例えば、端末装置４０のＧＰＳによって取得した現在位置の情報を収集してネットワークＮを介してデータベース２０に送信する。
【００４７】
次に、ステップＳ１０５に示すように、データベース２０の更新を行う。すなわち、先のステップＳ１０２〜Ｓ１０４で収集した情報の更新を行う。データベース２０には医療機器ＭＥ、予備蓄電池ＳＢ、配送用蓄電池ＢＴおよび端末装置４０の最新の情報が格納される。
【００４８】
ステップＳ１０６では処理を繰り返すか否かの判断を行う。処理を繰り返す場合には、ステップＳ１０１〜ステップＳ１０５の処理を繰り返す。これにより、データベース２０に格納される情報は、最新の情報に更新される。
【００４９】
次に、ステップＳ１０１で緊急時であると判断した場合の処理について説明する。
先ず、図４のステップＳ２０１に示すように、医療機器ＭＥおよび予備蓄電池ＳＢの情報を取得する。管理装置１０は、データベース２０にアクセスして、データベース２０に格納された医療機器ＭＥおよび予備蓄電池ＳＢの情報を取得する。
【００５０】
次に、ステップＳ２０２に示すように、稼働可能時間の取得を行う。管理装置１０は、ステップＳ２０２で取得した医療機器ＭＥおよび予備蓄電池ＳＢの情報に基づいて、その医療機器ＭＥの予備蓄電池ＳＢによる稼働可能時間を演算する。なお、稼働可能時間は情報収集装置３０によって演算してもよい。情報収集装置３０で稼働可能時間を演算すれば、管理装置１０の負荷が軽減される。情報収集装置３０は、演算した稼働可能時間をデータベース２０に送信する。この場合、ステップＳ２０２において管理装置１０は、データベース２０に格納された稼働可能時間を取得する。
【００５１】
次に、ステップＳ２０３に示すように、端末装置４０の情報の取得を行う。管理装置１０は、データベース２０にアクセスして、データベース２０に格納された端末装置４０のＩＤや位置情報などを取得する。
【００５２】
次に、ステップＳ２０４に示すように、リストの作成を行う。図５（ａ）〜図６（ｂ）は、リストの例を示す図である。図５（ａ）および図６（ａ）にはリストの前半部分が表され、図５（ｂ）および図６（ｂ）にはリストの後半部分が表される。
【００５３】
リストは、在宅医療患者ＰＡの患者名に対応して、所在地、医療機器ＭＥの情報、稼働可能時間、配送予想時間、余裕度、配送用蓄電池ＢＴの情報、スタッフＳＦの名前、ステータス、スタッフＳＦの現在位置、端末ＩＤなどを表している。
【００５４】
リストの作成にあたり、管理装置１０は、先ず各在宅医療患者ＰＡの所在地から最も近いサービスステーションＳＳを決定する。次に、移動可能なスタッフＳＦの位置情報からスタッフＳＦと最寄りのサービスステーションＳＳとの対応付けを行う。次に、サービスステーションＳＳに対応付けされたスタッフＳＦのそれぞれについて、そのサービスステーションＳＳに決定された在宅医療患者ＰＡの所在地までの配送予想時間を演算する。
【００５５】
ここで、配送予想時間は、スタッフＳＦの所持する端末装置４０の位置情報から最寄りのサービスステーションＳＳを経由して在宅医療患者ＰＡの所在地に到着するまでの予想時間である。例えば、地図情報に基づき、スタッフＳＦが徒歩で移動するとした場合の所要時間を計算して配送予想時間が決定される。
【００５６】
この配送予想時間は、スタッフＳＦの機動力に応じて重み付け計算を行って求めてもよい。つまり、機動力の高いスタッフＳＦについては標準的な移動時間よりも短くする係数を掛ける。反対に機動力の低いスタッフＳＦについては標準的な移動時間よりも長くする係数を掛ける。同じ在宅医療患者ＰＡのもとへ配送を行うことができるスタッフＳＦが複数いる場合には、配送予想時間の最も短いスタッフＳＦが割り当てられる。
【００５７】
スタッフＳＦが割り当てられた後は、余裕度の演算を行う。余裕度は、稼働可能時間から配送予想時間を差し引いた残余の時間である。すなわち、稼働可能時間が短くても、直ぐに配送用蓄電池ＢＴが到着する場合には余裕度は長くなる。一方、稼働可能時間が長くても、配送用蓄電池ＢＴの到着まで時間を要する場合には余裕度は短くなる。なお、１人の在宅医療患者ＰＡで複数の医療機器ＭＥを使用している場合には、余裕度の短い方を基準とする。
【００５８】
図５（ａ）および（ｂ）には、管理装置１０で取得した稼働可能時間の順に並べられたリストが示される。このリストを余裕度の順に並べ変えて表示すると、図６（ａ）および（ｂ）に示すリストのようになる。
【００５９】
ステータスは、配送用蓄電池ＢＴの配送を行うスタッフＳＦの状況を示す情報である。ステータスとしては、例えば「配送中」、「応答待ち」、「配送完了」が挙げられる。配送に関する情報を送信したスタッフＳＦから応答が入らない場合には「応答待ち」、応答が入った後、配送完了の情報が入るまでは「配送中」、配送完了の情報が入れば「配送完了」が表示される。
【００６０】
次に、図４のステップＳ２０５に示すように、端末装置４０へ配送情報を送信する処理を行う。管理装置１０は、先に作成したリストに基づき、ネットワークＮを介して各スタッフＳＦの端末装置４０へ各スタッフＳＦに対応した配送用蓄電池ＢＴの配送情報を送信する。
【００６１】
次に、ステップＳ２０６に示すように、端末装置４０からの情報の受信を行う。すなわち、端末装置４０で配送用蓄電池ＢＴの配送情報を受信したスタッフＳＦは、受信確認の応答を行う。管理装置１０はこの応答を受信する。一定時間、応答を受信しなかった場合には、管理装置１０から応答のないスタッフＳＦの端末装置４０に問い合わせを自動送信するようにしてもよい。
【００６２】
次に、ステップＳ２０７に示すように、在宅医療患者ＰＡへ配送情報を送信する処理を行う。スタッフＳＦから応答を受信した管理装置１０は、在宅医療患者ＰＡに配送用蓄電池ＢＴの配送が行われる旨の情報を在宅医療患者ＰＡの連絡先に送る。これにより、在宅医療患者ＰＡは配送用蓄電池ＢＴの手配が行われたことを知ることができる。
【００６３】
（端末装置の表示例）
次に、端末装置４０による情報の表示例について説明する。
図７（ａ）〜図８は、端末装置の情報の表示例を示す図である。
管理装置１０から端末装置４０へ配送用蓄電池ＢＴの配送に必要な情報を送信した場合、端末装置４０のモニタ４１にはその情報に基づく表示が行われる。端末装置４０には、予め本実施形態のシステムに対応したアプリケーションをインストールしておく。このアプリケーションの実行によって、端末装置４０の現在位置の情報が所定のタイミングでネットワークＮに自動的に送信される。
【００６４】
図４のステップＳ２０５に示す端末装置４０への配送情報の送信が行われると、図７（ａ）に示すように、端末装置４０のモニタ４１に配送情報を受信した旨の表示が行われる。この表示状態で例えばモニタ４１をタッチすると、図７（ｂ）に示すように、配送可能か否かを問い合わせる表示が行われる。この表示で「できません」を選択すると、管理装置１０へその旨が送信され、管理装置１０はそのスタッフＳＦを配送要員から除外する。一方、「可能です」を選択すると、管理装置１０へその旨が送信され、管理装置１０は詳しい配送情報をその端末装置４０へ送信する。
【００６５】
端末装置４０には図７（ｃ）に示すようなガイド表示が行われる。図８には、図７（ｃ）のガイド表示の詳細が表される。端末装置４０のモニタ４１には、リストの情報に基づいたガイド表示が行われる。ガイド表示としては、例えば、現在位置、配送用蓄電池ＢＴの備蓄場所、配送先の住所、現在位置から備蓄場所までの予想経由時間、備蓄場所から配送先までの予想配送時間が示される。また、配送用蓄電池ＢＴの番号（図８に示す例ではＢＴ１）、余裕度（図８に示す例では１時間）も示される。
【００６６】
さらに、モニタ４１には、現在位置から備蓄場所を経由した配送先までの地図情報および経路情報が表される。スタッフＳＦは、モニタ４１に表示される地図情報および経路情報に従い進んでいく。ナビゲーション機能によって表示や音声によって方向を指示するようにしてもよい。スタッフＳＦは道に詳しくなくても地図情報や経路情報、ナビゲーション機能によって迅速に進んでいくことが可能になる。
【００６７】
図８に示す例には第１スタッフＳＦ１に対するガイド表示が表される。端末装置４０のモニタ４１に表示されたこのガイド表示に従い、第１スタッフＳＦ１は、第１サービスステーションＳＳ−１を経由し、配送用蓄電池ＢＴ１を持って、在宅医療患者ＰＡ１へ配送用蓄電池ＢＴ１を届けることになる。
【００６８】
第１スタッフＳＦ１は、配送途中で配送先に連絡を取りたい場合、「配送先連絡」のアイコンＩＣ２を選択する。これにより、配送先の在宅医療患者ＰＡ１の連絡先に連絡を入れることができる。また、「センター連絡」のアイコンＩＣ３を選択すると、管理装置１０が配備された管理センターに連絡を入れることができる。
【００６９】
配送が完了したら、第１スタッフＳＦ１はモニタ４１の「配送完了」のアイコンＩＣ１を選択する。これにより、配送用蓄電池ＢＴ１の配送が完了した旨の情報がネットワークＮを介して管理装置１０へ送られる。管理装置１０は、図５（ｂ）および図６（ｂ）に表したリストのステータスの項目へ「配送完了」の表示を行う。
【００７０】
本実施形態のシステムを用いることで、データベース２０には在宅医療患者ＰＡごとに患者が使用している医療機器ＭＥの稼働状況、予備蓄電池ＳＢの蓄電容量が逐次更新して格納されるため、常に最新の情報をデータベース２０に集約することができる。また、緊急時には、このデータベース２０に格納された稼働可能時間に基づいてネットワークＮを介して端末装置４０へ配送用蓄電池ＢＴの配送に必要な情報を送信するため、端末装置４０に送られた情報によって在宅医療患者ＰＡのもとへ配送用蓄電池ＢＴを効率良く配送することができる。
【００７１】
（第２実施形態）
次に、第２実施形態に係る緊急時蓄電池配送システムの説明を行う。
図９は、第２実施形態に係る緊急時蓄電池配送システムの構成を例示する模式図である。
図９には、複数の管轄領域にシステムが導入された例が表される。管轄領域とは、例えば行政区域、電力系統の区域、自治会の区域なのである。図９には、複数の管轄領域の例として、第１領域Ｒ１および第２領域Ｒ２が示される。
【００７２】
第１管理装置１０−１、第１データベース２０−１および第１サービスステーションＳＳ−１は第１領域Ｒ１を管轄する。第１端末装置４０−１は、第１領域Ｒ１の管轄として管理される。また、第２管理装置１０−２、第２データベース２０−２および第２サービスステーションＳＳ−２は第２領域Ｒ２を管轄する。第２端末装置４０−２は、第２領域Ｒ２の管轄として管理される。
【００７３】
平常時においては、第１管理装置１０−１は第１領域Ｒ１内の在宅医療患者ＰＡ１の使用する医療機器ＭＥや予備蓄電池ＳＢの情報、第１サービスステーションＳＳ−１に備蓄された配送用蓄電池ＢＴの情報、および第１端末装置４０−１の情報の管理を行う。第１データベース２０−１には、第１領域Ｒ１内の在宅医療患者ＰＡ１、医療機器ＭＥ、第１サービスステーションＳＳ−１の配送用蓄電池ＢＴに関する情報、および第１端末装置４０−１の情報が格納される。
【００７４】
同様に、平常時においては、第２管理装置１０−２は第２領域Ｒ２内の在宅医療患者ＰＡ２およびＰＡ３の使用する医療機器ＭＥや予備蓄電池ＳＢの情報、第２サービスステーションＳＳ−２に備蓄された配送用蓄電池ＢＴの管理を行う。第２データベース２０−２には、第２領域Ｒ２内の在宅医療患者ＰＡ２およびＰＡ３、医療機器ＭＥ、第２サービスステーションＳＳ−２の配送用蓄電池ＢＴに関する情報、および第２端末装置４０−２の情報が格納される。
【００７５】
つまり、平常時においては、それぞれ管轄の領域の情報をそれぞれの管理装置およびデータベースで管理することで情報の集約の効率化を図る。
【００７６】
緊急時においては、第１管理装置１０−１は、第１データベース２０−１および第２データベース２０−２にそれぞれ格納された稼働可能時間に基づいて、ネットワークＮを介して第１端末装置４０−１および第２端末装置４０−２の少なくとも一方へ配送用蓄電池ＢＴの配送に必要な情報を送信する。また、第２管理装置１０−２は、第２データベース２０−２および第１データベース２０−１にそれぞれ格納された稼働可能時間に基づいて、ネットワークＮを介して第２端末装置４０−２および第１端末装置４０−１の少なくとも一方へ配送用蓄電池ＢＴの配送に必要な情報を送信する。
【００７７】
緊急時には、第１データベース２０−１および第２データベース２０−２の情報を用いることで、管轄の枠を超えて配送用蓄電池ＢＴを迅速に在宅医療患者ＰＡのもとへ配送することができる。
【００７８】
例えば、緊急時に第２管理装置１０−２でリストを作成する場合、第２管理装置１０−２は自ら管轄する第２領域Ｒ２の第２データベース２０−２に加え、他の管轄である第１領域Ｒ１の第１データベース２０−１のデータも検索対象にする。
【００７９】
その結果、第１領域Ｒ１および第２領域Ｒ２を合わせた全体で最も効率の良い配送順が決定される。例えば、第２領域Ｒ２の在宅医療患者ＰＡ３の所在地から最も近いサービスステーションＳＳが、第１領域Ｒ１の第１サービスステーションＳＳ−１だとする。この場合、第２管理装置１０−２は、第２端末装置４０−２を処理する第２スタッフＳＦ２へ、第１領域Ｒ１の第１サービスステーションＳＳ−１へ配送用蓄電池ＢＴを取りにいく指示を与える。
【００８０】
さらに、第２管理装置１０−２は、第２スタッフＳＦ２へ、第１領域Ｒ１の第１サービスステーションＳＳ−１から配送用蓄電池ＢＴを第２領域Ｒ２の在宅医療患者ＰＡ３のもとへ届ける指示を与える。
【００８１】
この指示を受けた第２スタッフＳＦ２は、第２領域Ｒ２から第１領域Ｒ１の第１サービスステーションＳＳ−１へ向かい（矢印Ｔ１参照）、配送用蓄電池ＢＴを受け取って第１サービスステーションＳＳ−１から第２領域Ｒ２の在宅医療患者ＰＡ３の所在地へ向かう（矢印Ｔ２参照）。
【００８２】
このように、緊急時においては、管轄の枠を超えて最適な配送経路をスタッフＳＦに与えることができ、配送用蓄電池ＢＴを迅速に在宅医療患者ＰＡのもとを配送することが可能になる。
【００８３】
なお、第２実施形態では第１領域Ｒ１および第２領域Ｒ２の２つの領域についてシステムを適用した例を説明したが、さらに多くの領域について本実施形態のシステムを適用することも可能である。この場合、１つの領域について、この領域と少なくとも隣接する領域についてデータベースを共有したリスト作成を行うようにすればよい。
【００８４】
以上説明したように、本実施形態に係る緊急時蓄電池配送システムによれば、在宅医療患者ＰＡの使用している医療機器ＭＥの電源の状況を的確に把握し、緊急時に在宅医療患者ＰＡのもとへ迅速に予備の蓄電池（配送用蓄電池ＢＴ）を配送することができるようになる。
【００８５】
なお、上記に本実施形態を説明したが、本発明はこれらの例に限定されるものではない。例えば、上記実施形態では、広域的な緊急の場合を例としたが、例えば平常時において在宅医療患者ＰＡが使用する予備蓄電池ＳＢの状態が著しく低下（劣化）した場合も緊急時とみなして、スタッフＳＦに配送用蓄電池ＢＴを届けさせるよう指示するようにしてもよい。また、緊急時において作成するリストの項目は一例であり、上記説明した以外の項目をリスト内に設けてもよい。また、前述の各実施形態に対して、当業者が適宜、構成要素の追加、削除、設計変更を行ったものや、各実施形態の特徴を適宜組み合わせたものも、本発明の要旨を備えている限り、本発明の範囲に含有される。
【符号の説明】
【００８６】
１０…管理装置
１０−１…第１管理装置
１０−２…第２管理装置
２０…データベース
２０−１…第１データベース
２０−２…第２データベース
３０…情報収集装置
４０…端末装置
４０−１…第１端末装置
４０−２…第２端末装置
４１…モニタ
ＢＴ…配送用蓄電池
ＭＥ…医療機器
Ｎ…ネットワーク
ＰＡ…在宅医療患者
Ｒ１…第１領域
Ｒ２…第２領域
ＳＢ…予備蓄電池
ＳＦ…スタッフ
ＳＳ…サービスステーション
【図１】
2016157377.tif 000003
【図２】
2016157377.tif 000004
【図３】
2016157377.tif 000005
【図４】
2016157377.tif 000006
【図５】
2016157377.tif 000007
【図６】
2016157377.tif 000008
【図７】
2016157377.tif 000009
【図８】
2016157377.tif 000010
【図９】
2016157377.tif 000011